(57)【要約】      （修正有）【課題】血圧計において、使用する環境でのばらつきの影響や、使用する被検者の衣服の胸ポケットの位置のばらつきの影響を防止乃至抑制する。【解決手段】血圧計１は、被検者１００の手首１１０での血圧値を検出するためのセンサが設けられた、手首に装着されるカフ３と、センサで検出された検出値に基づいて血圧値を算出する演算部を有し、カフ３と一体に形成された本体部２と、本体部に支持される血圧計側支持部分７及び被検者の脇の下１２０に挟まれて支持されるガイドロッド５（支持部材の一例）とを備え、ガイドロッド５は、被検者に支持された状態でセンサを被検者の心臓の高さの位置に保持する。【選択図】図２
2016140655.tif 000002
【特許請求の範囲】
【請求項１】
被検者の被検部位での血圧値を検出するためのセンサと、
前記被検部位に装着されるカフと、
前記センサで検出された検出値に基づいて血圧値を算出する演算部を有し、前記カフと一体に形成された本体部と、
一部が前記カフ又は前記本体部に支持されるとともに、他の一部が前記被検者の身体に支持される支持部材と、を備え、
前記支持部材は、前記他の一部が前記身体に支持された状態で、前記センサを前記被検者の心臓の高さの位置に保持する血圧計。
【請求項２】
前記支持部材は、前記被検者の身体に支持されていない不使用状態における前記本体部から突出する突出量が、前記被検者の身体に支持されている使用状態における突出量よりも小さくなるように、前記カフ又は前記本体部に支持される請求項１に記載の血圧計。
【請求項３】
前記支持部材は、前記被検者の脇の下に挟まれて支持される被検者側支持部分及び前記カフ又は前記本体部に支持される血圧計側支持部分を有するガイドロッドを備えた請求項１又は２に記載の血圧計。
【請求項４】
前記ガイドロッドは、前記被検者の脇の下に挟まれる前記被検者側支持部分と前記血圧計側支持部分との間の部分で屈曲して形成され、
前記ガイドロッドは、前記血圧計側支持部分の軸心回りに回転自在に支持されている請求項３に記載の血圧計。
【請求項５】
前記ガイドロッドは、前記血圧計側支持部分の軸心方向にスライド可能に支持されている請求項３又は４に記載の血圧計。
【請求項６】
被検者の身体に支持される被検者側支持部分を有する支持部材と、
前記被検者の被検部位での血圧値を検出するためのセンサ、前記被検部位に装着されるカフ及び前記センサで検出された検出値に基づいて血圧値を算出する演算部を有する本体部が一体に形成された血圧計に、前記支持部材を固定する固定部材と、を備えた血圧計用の支持装置。
【請求項７】
前記被検者側支持部分は、前記被検者の脇の下に挟まれて支持される部分であり、
前記支持部材は、前記固定部材に支持される固定部材側支持部分を有するガイドロッドを備えた請求項６に記載の血圧計用の支持装置。
【発明の詳細な説明】
【技術分野】
【０００１】
本発明は、血圧計及び血圧計用の支持装置に関する。
【背景技術】
【０００２】
血圧計は一般に、被検部位での動脈の拍動を検出するセンサが取り付けられ、被験者の被検部位に密着するカフと、センサによる検出結果に基づいて血圧値を算出する演算部や算出された血圧値を表示する表示部を有する本体部分とを備えている。
血圧計によって血圧を測定する際は、被検部位の位置つまりカフの位置を、心臓（特に右心房）の高さに一致させて行うことが重要である。これは、測定結果が重力による影響を受けるためである。具体的には、カフを心臓よりも低い位置にセットしたときは、測定で得られた血圧値は、本来検出しようとする血圧値よりも高い値となり、カフを心臓よりも高い位置にセットしたときは、測定で得られた血圧値は、本来検出しようとする血圧値よりも低い値となる。
【０００３】
血圧計には、心臓位置に近い距離にある上腕に密着させて上腕での血圧値を検出する一般的な上腕用の血圧計の他に、手首での血圧値を検出する手首用や、指での血圧値を検出する指用などがある。上腕用の血圧計は、カフと本体部とが別体であることが多いが、手首用や指用の血圧計は、一般的に、カフと本体部とが一体に形成されている。したがって、手首用や指用の血圧計を用いた血圧値の測定の際は、上腕の血圧値を測定する血圧計に比べて、測定部位（手首や指）が心臓から離れた末梢位置となっているため、カフを装着した手首や指が、心臓の高さ位置に対してずれ易い。
【０００４】
そこで、カフの位置を心臓の高さ位置に合わせて測定するように、被検者の姿勢を検出するセンサを設けた血圧計（例えば、特許文献１参照）や、手首に装着されたカフを衣服の胸ポケットに引っ掛ける支持手段を設けた血圧計（例えば、特許文献２参照）が提案されている。
【先行技術文献】
【特許文献】
【０００５】
【特許文献１】特許第３２９７９７１号公報
【特許文献２】特許第３７１４１５２号公報
【発明の概要】
【発明が解決しようとする課題】
【０００６】
しかし、特許文献１の技術によってセンサで検出される被検者の姿勢は、肘を載置する机の高さの違いや肘をつく前後方向の位置の違いに応じて変化する。したがって、血圧計を使用する毎にカフの高さ位置に差異が生じ、カフを心臓の高さ位置に常に合わせるのは現実には困難である。しかも、被検者毎に腕の長さ等体格に差異があるため、カフの高さ位置も異なったものとなる。
【０００７】
また、特許文献２の技術は、衣服の適切な高さ位置に胸ポケットが存在していることを前提としている。しかし、胸ポケットの位置は、主に衣服のデザイン等に基づいて決められるものであって、規格等で定められたものではない。このため、胸ポケットの高さ位置にはばらつきがある。
したがって、カフを支持手段で胸ポケットに支持させても、カフの高さ位置が心臓の高さ位置に一致するとは限らない。さらに、特許文献２の技術は、胸ポケットが無い衣服を着衣しているときには適用することができない。
【０００８】
本発明は上記事情に鑑みなされたものであって、使用する環境でのばらつきの影響や、使用する被検者の衣服の胸ポケットの位置のばらつきの影響を防止乃至抑制した血圧計及び血圧計用の支持装置を提供することを目的とする。
【課題を解決するための手段】
【０００９】
本発明の第１は、被検者の被検部位での血圧値を検出するためのセンサと、前記被検部位に装着されるカフと、前記センサで検出された検出値に基づいて血圧値を算出する演算部を有し、前記カフと一体に形成された本体部と、一部が前記カフ又は前記本体部に支持されるとともに、他の一部が前記被検者の身体に支持される支持部材とを備え、前記支持部材は、前記他の一部が前記身体に支持された状態で、前記センサを前記被検者の心臓の高さの位置に保持する血圧計である。
本発明の第２は、被検者の身体に支持される被検者側支持部分を有する支持部材と、前記被検者の被検部位での血圧値を検出するためのセンサ、前記被検部位に装着されるカフ及び前記センサで検出された検出値に基づいて血圧値を算出する演算部を有する本体部が一体に形成された血圧計に、前記支持部材を固定する固定部材と、を備えた血圧計用の支持装置である。
【発明の効果】
【００１０】
本発明に係る血圧計及び血圧計用の支持装置によれば、使用する環境でのばらつきの影響や、使用する被検者の衣服の胸ポケットの位置のばらつきの影響を防止乃至抑制することができる。
【図面の簡単な説明】
【００１１】
【図１】本発明の一実施形態である手首用の血圧計を示す斜視図である。
【図２】図１に示した血圧計を被検者が使用する状態を示す図であり、（Ａ）は平面図、（Ｂ）は正面図をそれぞれ表す。
【図３】本発明の他の実施形態として支持部材を首下げ用の吊り具とした手首用の血圧計を示す図であり、（Ａ）は図１相当の斜視図、（Ｂ）は図２（Ｂ）相当の正面図をそれぞれ表す。
【図４】本発明の血圧計用の支持装置の一例を示す、図１相当の図である。
【発明を実施するための形態】
【００１２】
以下、本発明に係る血圧計及び血圧計用の支持装置の実施形態について、図面を用いて説明する。
【００１３】
［実施形態１］
＜血圧計の構成＞
図１は、本発明の一実施形態である手首用の血圧計１を示す斜視図である。図２は、図１に示した血圧計１を被検者１００が使用する状態を示す図であり、（Ａ）は平面図、（Ｂ）は正面図をそれぞれ表す。
【００１４】
図示の血圧計１は、本体部２とカフ３とが一体に形成されている。
カフ３は、帯状で、被検者１００（図２参照）の手首１１０（被検部位の一例）に密着するように装着される。カフ３の内部には、動脈の拍動を検出するセンサ１０が設けられていて、カフ３は、センサ１０の位置に動脈が位置するように手首に巻かれる。
【００１５】
本体部２は、カフ３の長手方向と短手方向（長手方向に直交する方向）にそれぞれ２辺が延びた矩形の直方体形状に形成されている。本体部２は、カフ３のセンサ１０で検出された拍動の検出値に基づいて血圧値を算出する演算部２４の他、算出された血圧値を表示する表示部４が設けられている。また、本体部２には、血圧値の測定を開始したり、測定を途中で停止したりする指示を受け付けるスイッチ類も設けられている。
本体部２はさらに、本体部２に支持されているとともに、被検者の身体に支持され、身体に支持された状態で、センサ１０を被検者の心臓の高さの位置に保持する支持部材の一例としてのガイドロッド５を一体に備えている。
【００１６】
＜ガイドロッドの構成＞
ガイドロッド５は、例えば金属製であり、Ｌ字形状に屈曲して形成されている。ガイドロッド５のＬ字形状の一方の直線部分７は、本体部２に埋め込まれて本体部２に支持されている。この一方の直線部分７を、以下、血圧計側支持部分７という。血圧計側支持部分７は、その軸心Ｏに沿った方向がカフ３の短手方向に沿う姿勢で配置されている。
【００１７】
ガイドロッド５のＬ字形状の他方の直線部分６は、本体部２の外部に露出していて、後述するように被検者１００の脇の下１２０（身体の一例）に挟まれて被検者１００に支持される。この他方の直線部分６を、以下、被検者側支持部分６という。
被検者側支持部分６と血圧計側支持部分７との間の部分は、９０［度］程度の角度で屈曲している。
【００１８】
被検者側支持部分６は、その軸心に沿った方向がカフ３の長手方向に沿う姿勢で配置されている。被検者側支持部分６は、血圧計側支持部分７よりも直径が太く形成されている。これは、ガイドロッド５の骨格となる金属の棒部材を、脇の下１２０に挟んで支持するのに適した太さの太径部材９で覆っているためである。
なお、太径部材９は、滑り止め機能を発揮する樹脂やゴムなどで形成されていてもよい。
【００１９】
血圧計側支持部分７は、本体部２に対して血圧計側支持部分７の軸心Ｏ方向にスライド可能に支持されている。すなわち、血圧計側支持部分７は、図１の破線で示すように本体部２に埋め込まれているが、この血圧計側支持部分７の軸心Ｏに沿った方向に引き出すことで、二点鎖線で示す位置Ｂ，Ｃまで引き出される。なお、血圧計側支持部分７は、引き出された状態でも本体部２から脱落しないように、先端部分に抜け止め８が設けられている。
【００２０】
また、血圧計側支持部分７は、本体部２に対して血圧計側支持部分７の軸心Ｏ回りに回転自在に、本体部２に支持されている。具体的には、血圧計側支持部分７が本体部２に埋め込まれたガイドロッド５の収容状態では、図１の実線で示すように、被検者側支持部分６は本体部２の側縁（カフ３の短手方向の側縁）に沿った位置Ａに配置されている。
一方、血圧計側支持部分７が本体部２から引き出された状態では、図１の二点鎖線で示すように、被検者側支持部分６は、引き出された状態の姿勢の位置Ｂと、位置Ｂに対して血圧計側支持部分７の軸心Ｏ回りに角度１８０［度］離れて本体部２の反対の側となる位置Ｃとの間でに回転自在となっている。
【００２１】
このように、ガイドロッド５の収容状態（位置Ａ）ではガイドロッド５を回転させず、ガイドロッド５が引き出された状態ではガイドロッド５を回転自在とする構造としては、例えば、ガイドロッド５の血圧計側支持部分７の周面に案内用の突起を形成し、本体部２にその突起を案内する案内溝を形成した構造等を適用することができる。
【００２２】
案内溝には、位置Ａ、位置Ｂ及び位置Ｃにおいてガイドロッド５がある程度維持するように、クリック感（節度感）を以て保持する保持機構が設けられていてもよい。
なお、ガイドロッド５は、収容状態においても回転自在としてもよいし、収容状態から任意の長さに引き出された状態においても回転自在としてもよい。また、ガイドロッド５の血圧計側支持部分７は、伸縮可能な構造（例えば、カメラを支持する三脚の伸縮式の脚部のような入れ子式の構造）により伸縮するものであってもよい。
【００２３】
図１に示した位置Ｃは、被検者側支持部分６が被検者１００の脇の下１２０に挟まれて被検者に支持される、ガイドロッド５の使用状態である。位置Ａは、被検者側支持部分６が被検者に支持されていない、ガイドロッド５の不使用状態（収容状態）である。位置Ｂは、位置Ａと位置Ｃとの間での過渡的な位置である。なお、位置Ｂでは、被検者側支持部分６は被検者１００の脇の下１２０に支持されないため不使用状態となる。
ガイドロッド５は、不使用状態（位置Ａ）において本体部２から突出した突出量が、使用状態（位置Ｃ）において本体部２から突出した突出量よりも小さくなるように、本体部２に支持されている。
【００２４】
＜血圧計、ガイドロッドの作用＞
次に、このように構成された血圧計１及びガイドロッド５の作用、効果について説明する。
血圧計１は、不使用状態では、ガイドロッド５の血圧計側支持部分７が本体部２に収容された位置Ａ（図１参照）となる。このとき本体部２から突出するガイドロッド５の突出量は、位置Ｂの姿勢や位置Ｃの姿勢の場合に比べて小さい。したがって、血圧計１の保管場所のスペースを、ガイドロッド５が無い場合に比べて格段に大きくする必要が無い。
また、不使用状態では、ガイドロッド５の突出量が少ないため、ガイドロッド５に被検者１００の身体等が触れる機会が増加するのを抑制することもできる。
【００２５】
一方、血圧計１を使用する際は、図２に示すように被検者１００の手首１１０に血圧計１がセットされるように、カフ３に手首１１０が通される。そして、ガイドロッド５の血圧計側支持部分７が本体部２から位置Ｂまで引き出される。この位置Ｂは、血圧計側支持部分７が、手首１１０にセットされた側の腕（図示の例では右腕）の延長方向に沿ったものとなる。
【００２６】
ガイドロッド５は、位置Ｂの状態から被検者側支持部分６が位置Ｃの姿勢となるように、血圧計側支持部分７の軸心Ｏ回りに回転される。ガイドロッド５が位置Ｃの姿勢の状態で、被検者側支持部分６が被検者１００の脇の下１２０に挟まれる。これにより、血圧計１は被検者１００の身体の一定の位置に保持される。
【００２７】
血圧計１が支持される身体の一定位置は、ガイドロッド５の長さ、特に血圧計側支持部分７の、本体部２からの突出量に依存する。本実施形態の血圧計１は、位置Ｃでの血圧計側支持部分７の、本体部２からの突出量は、血圧計１のカフ３に設けられたセンサ１０が被検者１００の心臓の高さの位置に支持される長さに設定されている。心臓の高さの位置は、図２（Ｂ）に示すように、被検者１００の両脇の下１２０を結んだ線Ｈ１と両乳首を結んだ線Ｈ２との間の高さの範囲である。
【００２８】
以上のように、本実施形態の血圧計１は、被検者１００自身の身体の一部、特に心臓に近い部分の一例である脇の下１２０で、血圧計１のガイドロッド５の被検者側支持部分６を支持することで、血圧計１（特に、血圧値を検出するためのセンサ１０）を、被検者１００の心臓の高さの位置に保持させることができる。
したがって、被検者１００の衣服の胸ポケットの有無や胸ポケットの位置のばらつきの影響を防止乃至抑制することができる。
なお、極端に大きいサイズや小さいサイズの被検者を除いて、通常のサイズの大多数の被検者１００については、脇の下１２０に支持された一定長さのガイドロッド５を介して、血圧計１を心臓の高さの位置に保持させることができる。
【００２９】
また、本実施形態の血圧計１によれば、血圧値の測定の際に、机等を使用することがないため、使用する環境でのばらつきの影響も防止乃至抑制することができる。
さらに、本実施形態の血圧計１は、血圧計１を心臓の高さの位置に一致させるための高さ検出用のセンサや角度検出用のセンサを備える必要もない。
また、本実施形態の血圧計１は、ガイドロッド５が血圧計１の一部として本体部２に備えられた一体構造であるため、血圧計１とは別体の支持部材を用意する必要が無く、血圧計１を使用する際の手間を低減することができる。
【００３０】
本実施形態の血圧計１は、被検者１００の脇の下１２０に挟まれて支持される被検者側支持部分６及び本体部２に支持される血圧計側支持部分７を有するガイドロッド５を備え、被検者の身体の一部（脇の下１２０）を使って血圧計１を支持している。
これにより、被検者１００の着衣の有無に拘わらず、血圧計１を被検者１００の心臓のの高さの位置に保持することができる。
【００３１】
本実施形態の血圧計１は、ガイドロッド５が被検者側支持部分６と血圧計側支持部分７との間の部分で屈曲して形成され、血圧計側支持部分７の軸心Ｏ回りに回転自在に支持されている。
ガイドロッド５を本体部２に対して回転させることで、ガイドロッド５の使用状態では被検者側支持部分６の、本体部２からの突出量を大きくさせる。被検者側支持部分６が本体部２に対して大きく突出していることにより、被検者側支持部分６を被検者１００の脇の下１２０に挟ませる支持を行い易くする。
【００３２】
また、被検者側支持部分６を被検者１００の脇の下１２０に支持させた状態で、本体部２を被検者１００の身体から離すこともできる。
一方、ガイドロッド５を本体部２に対して回転させることで、ガイドロッド５の不使用状態では、ガイドロッド５の本体部２からの突出量を小さくさせることができ、血圧計１の外形サイズが大きくなるのを防止乃至抑制することができる。
【００３３】
本実施形態の血圧計１は、ガイドロッド５が、血圧計側支持部分７の軸心Ｏ方向に沿ってスライド可能に本体部２に支持されている。
これにより、被検者側支持部分６を被検者１００の脇の下１２０に挟ませる支持を行い易くするとともに、本体部２を被検者１００の身体から離すこともできる。さらに、ガイドロッド５の不使用状態では、ガイドロッド５の本体部２からの突出量を小さくさせることができ、血圧計１の外形サイズが大きくなるのを防止乃至抑制することができる。
【００３４】
［実施形態２］
実施形態１の血圧計１は、支持部材としてガイドロッド５を適用した本発明の血圧計の一例であるが、支持部材としては、ガイドロッド５に限定されるものではない。
図３は、本発明の他の実施形態として支持部材を首下げ用の吊り具１５とした手首用の血圧計２１を示す図であり、（Ａ）は図１相当の斜視図、（Ｂ）は図２（Ｂ）相当の正面図をそれぞれ表す。
【００３５】
図示の血圧計２１は、演算部２４を有する本体部２２とカフ２３とが一体に形成されている。血圧計２１の本体部２２には、首下げ用の吊り具１５が備えられている。吊り具１５は、被検者１００の首に下げられて被検者１００に支持される紐部材１６と、紐部材１６を２か所で本体部２に支持させる２つの固定具１７とを備えている。
紐部材１６には、２つの固定具１７で本体部２に支持された紐部材１６の長さを調整する長さ調整具１８が備えられている。
【００３６】
血圧計２１の本体部２が吊り具１５によって被検者１００に支持された状態（図３（Ｂ）参照）で、血圧計２１が被検者１００の心臓の高さの位置（被検者１００の両脇の下１２０を結んだ線Ｈ１と両乳首を結んだ線Ｈ２との間の高さの範囲）に配置されるように、紐部材１６の長さは、長さ調整具１８によって予め調整されている。
【００３７】
このように構成された実施形態２の血圧計２１によれば、図３（Ｂ）に示すように、紐部材１６が被検者１００の首に掛けられると、血圧計２１（特に、血圧値を検出するためのセンサ）は、吊り具１５によって、被検者１００の心臓の高さの位置に保持される。
したがって、被検者１００の衣服の胸ポケットの有無や胸ポケットの位置のばらつきの影響を防止乃至抑制することができる。
【００３８】
なお、極端に大きいサイズや小さいサイズの被検者を除いて、通常のサイズの大多数の被検者１００については、紐部材１６の長さを調整する必要はないが、血圧計２１を被検者１００の心臓の高さの位置に保持させるために紐部材１６の長さの調整を要する場合は、長さ調整具１８によって紐部材１６の長さを調整すればよい。
【００３９】
また、本実施形態の血圧計２１によれば、血圧値の測定の差異に、机等を使用することがないため、使用する環境でのばらつきの影響も防止乃至抑制することができる。
さらに、本実施形態の血圧計２１は、血圧計２１を心臓の高さの位置に一致させるための高さ検出用のセンサや角度検出用のセンサを備える必要もない。
【００４０】
また、本実施形態の血圧計２１は、吊り具１５が血圧計２１の一部として本体部２に備えられた一体構造であるため、血圧計２１とは別体の支持部材を用意する必要が無く、血圧計２１を使用する際の手間を低減することができる。
【００４１】
上述した各実施形態１，２の血圧計１，２１は、いずれも被検部位として手首１１０を適用した手首用の血圧計であるが、本発明の血圧計は、手首用の血圧計に限定されるものではなく、被検部位として指を適用した指用の血圧計であってもよい。
また、実施形態１，２の血圧計１，２１は、支持部材であるガイドロッド５や吊り具１５が本体部２，２２に支持されたものであるが、支持部材はカフ３，２３に支持されたものであってもよい。
【００４２】
実施形態１，２の血圧計１，２１は、カフ３，２３と本体部２，２２とが別の部品として形成されているが、カフ３，２３と本体部２，２２は一体的な単一の部品として構成されたものであってもよい。この場合、血圧値を検出するためのセンサ１０は、厳密にはカフ３，２３に設けられていることにはならないが、このセンサ１０は本体部２，２２に設けられていてもよく、このような構成も本発明の技術的範囲に含まれる。
【００４３】
［実施形態３］
実施形態１，２の血圧計１，２１は、支持部材（ガイドロッド５、吊り具１５）を血圧計１，２１の一部として、支持部材が血圧計に支持されたものであるが、本発明は、支持部材を、既存の血圧計に取り付けられる、血圧計とは別体の、血圧計用の支持装置として把握することもできる。
【００４４】
図４は、本発明の血圧計用の支持装置の一例を示す、図１相当の図である。図示の血圧計３１は、血圧値を検出するためのセンサ３０が設けられたカフ３３と、センサ３０で検出された検出値に基づいて血圧値を算出する演算部３４を有する本体部３２とが一体に形成されている。
図示の支持装置４０は、ガイドロッド４５（支持部材の一例）と、ガイドロッド４５を支持するケース４８と、ケース４８を介してガイドロッド４５を血圧計３１の本体部３２に固定する固定部材の一例としての両面テープ４９とを備えている。
【００４５】
ガイドロッド４５は、実施形態１に示したガイドロッド５と同様の構成であり、被検者側支持部分６に対応する被検者側支持部分４６と、血圧計側支持部分７に対応する固定部材側支持部分４７とを有している。被検者側支持部分４６と固定部材側支持部分４７との間の部分は、９０［度］程度の角度で屈曲している。
【００４６】
血圧計側支持部分７は血圧計１に直接支持されていた部分であるのに対して、固定部材側支持部分４７は、ケース４８及び両面テープ４９を介して間接的に血圧計３１の本体部３２に支持されている部分である。ただし、支持装置４０が血圧計３１に固定された状態にあっては、固定部材側支持部分４７は血圧計３１に支持された部分と同じ機能を発揮する。したがって、固定部材側支持部分４７は、実質的に血圧計側支持部分７と同じであり、ガイドロッド４５は、実質的にガイドロッド５と同じである。
【００４７】
ケース４８は、ガイドロッド４５の固定部材側支持部分４７を収容している。固定部材側支持部分４７はケース４８に対して、位置Ａから軸心Ｏに沿った方向の位置Ｂまでスライド可能であるとともに、軸心Ｏを中心として位置Ｂから位置Ｃまで回転自在である。
ケース４８には、両面テープ４９が貼られている。この両面テープ４９の、ケース４８とは反対の面は剥離紙が貼られている。この剥離紙を剥がすと、粘着面が現れて、この粘着面が血圧計３１の本体部３２に貼り付けられる。
【００４８】
これにより、ガイドロッド４５を有する支持装置４０が血圧計３１と一体化され、実施形態１の血圧計１と同様の構成が実現される。
したがって、この実施形態の血圧計用の支持装置４０によれば、既存の血圧計３１に取り付けられることで、実施形態１の血圧計１と同様の効果を得ることができる。
【００４９】
すなわち、図２に示すように、被検者１００自身の身体の一部、特に心臓に近い部分の一例である脇の下１２０で、ガイドロッド４５の被検者側支持部分４６を支持することで、血圧計３１（特に血圧値を検出するためのセンサ３０）を、被検者１００の心臓の高さの位置に保持させることができる。
したがって、被検者１００の衣服の胸ポケットの有無や胸ポケットの位置のばらつきの影響を防止乃至抑制することができる。
【００５０】
また、本実施形態の血圧計用の支持装置４０によれば、血圧値の測定の際に、机等を使用することがないため、使用する環境でのばらつきの影響も防止乃至抑制することができる。
さらに、本実施形態の血圧計用の支持装置４０は、心臓の高さの位置に一致させるための高さ検出用のセンサや角度検出用のセンサが備えられていない血圧計３１にも取り付けて使用することができる。
【符号の説明】
【００５１】
１      血圧計
２      本体部
３      カフ
５      ガイドロッド（支持部材の一例）
６      被検者側支持部分（直線部分）
７      血圧計側支持部分（直線部分）
２４    演算部
１０    センサ
１００  被検者
１１０  手首（被検部位の一例）
１２０  脇の下（身体の一例）
【図１】
2016140655.tif 000003
【図２】
2016140655.tif 000004
【図３】
2016140655.tif 000005
【図４】
2016140655.tif 000006